(57)【要約】      （修正有）【課題】自動車の車内の換気や空調等の空気吹出口に使用するバレル型レジスタにおいて、バレル及びバレル内の可動フィンの方向を、操作性良く変えることが可能なレジスタを提供する。【解決手段】空気吹出口１０を設けたバレル１がリテーナ２の内側に回動可能に枢支される。バレル１の内側に複数の可動フィン４がバレル１の回動軸と直交する回動軸により枢支される。複数の可動フィン４が相互に連結部材９を介して回動可能に連結される。バレル１内の可動フィン４の下流側に、支持フレーム１１がバレル１の長手方向に沿って設けられ、支持フレーム１１には、操作ノブ７がバレル１の長手方向にスライド可能で且つ連係部８を介して可動フィン４と連係可能に取り付けられる。【選択図】図５
0003175092.tif 000002
【実用新案登録請求の範囲】
【請求項１】
空気吹出口を設けたバレルがリテーナの内側に回動可能に枢支され、該バレルの内側に複数の可動フィンがバレルの回動軸と直交する回動軸により枢支され、該複数の可動フィンが相互に連結部材を介して回動可能に連結され、操作ノブにより該可動フィンを該回動軸の回りで回動させるレジスタにおいて、
該バレル内の該可動フィンの下流側に、支持フレームが該バレルの長手方向に沿って設けられ、該支持フレームには、該操作ノブが該バレルの長手方向にスライド可能で且つ連係部を介して該可動フィンと連係可能に取り付けられ、該支持フレーム上で該操作ノブを長手方向にスライド操作して該可動フィンを回動操作することを特徴とするレジスタ。
【請求項２】
前記連係部は、前記操作ノブの後部に設けたラック部と、前記可動フィンの前部に設けられ該ラック部と噛合する扇形歯部とから構成されたことを特徴とする請求項１記載のレジスタ。
【請求項３】
前記支持フレームは、間に中央開口部を有した２枚のフィン部を前記バレル内の長手方向に沿って設けた形状に形成され、該中央開口部に前記操作ノブがスライド可能に嵌め込まれ、該操作ノブの前部が該フィン部より前方に露出し、該前部に操作凹部が形成されたことを特徴とする請求項１または２記載のレジスタ。
【請求項４】
前記操作ノブの長手方向の幅は、前記支持フレームのフィン部の長手方向の幅の少なくとも半分より幅広に形成されたことを特徴とする請求項３記載のレジスタ。
【請求項５】
前記操作ノブは、前記支持フレームの中央開口部内に設けた複数のガイド壁に接触して摺動をガイドされることを特徴とする請求項３または４記載のレジスタ。
【考案の詳細な説明】
【技術分野】
【０００１】
本考案は、自動車の車内等の換気や空調の空気吹出口に使用されるバレル型のレジスタに関し、特に操作ノブの操作性を向上させたレジスタに関する。
【背景技術】
【０００２】
車内等の換気や空調の空気吹き出し口に使用するバレル型のレジスタとして、従来、下記特許文献１などにおいて、レジスタの前部に配設された小形の操作ノブを操作して、風向を変える構造のレジスタが知られている。このレジスタは、矩形枠状のリテーナ及びベゼル内に、バレルを回動可能に枢支し、そのバレル内に複数の固定フィンが取り付けられるとともに、固定フィンと直交する方向に複数の可動フィンがバレル内の奥に回動可能に並設され、１つの可動フィンから前方に突き出すように操作ノブが設けられる。
【０００３】
この種のバレル型レジスタは、通常、バレルの回動軸が水平横方向に配設され、バレル内の可動フィンの回動軸がバレルの軸と直交する縦方向に配設され、風向を上下に変える場合は、操作ノブを持ってバレルを上下に回動させ、バレル自体と固定フィンの向きを上下に変えて風向を上下方向に変え、風向を左右に変える場合は、操作ノブを持って可動フィンの向きを左右に変えて、風向を左右に変えるように動作する。
【先行技術文献】
【特許文献】
【０００４】
【特許文献１】特開平９−２０２１３３号公報
【考案の概要】
【考案が解決しようとする課題】
【０００５】
したがって、バレル型レジスタの風向を左右に変える場合、可動フィンから前方に突き出すように設けられた小形の操作ノブを持って左右に動かすと、操作ノブが取り付けられた１つの可動フィンが右または左に回動するとともに、リンクバーを介して連動する他の可動フィンが同方向に回動し、風向を右または左に変えることとなる。
【０００６】
しかし、レジスタの操作ノブは、通常、その突出長がある程度短く制限され、さらにバレル型レジスタでは、小形の操作フィンが奥に位置する可動フィンの前部に取り付けられるため、可動フィンの向きを左右に変える操作は、２枚の固定フィンの間で、小形の操作ノブを持って左右に回動操作することとなる。
【０００７】
このため、可動フィンを左右に振って風向を変える場合、角度が大きくなると、固定フィンが邪魔となって操作ノブを指で把持しにくいために、その回動操作角度が制限され、操作ノブによる可動フィンの角度を任意の幅で変えにくいという課題があった。
【０００８】
本考案は、上記の点に鑑みてなされたもので、バレル型レジスタにおいて、バレル及びバレル内の可動フィンの方向を、操作性良く変えることができるレジスタを提供することを目的とする。
【課題を解決するための手段】
【０００９】
上記目的を達成するために、本考案のレジスタは、空気吹出口を設けたバレルがリテーナの内側に回動可能に枢支され、該バレルの内側に複数の可動フィンがバレルの回動軸と直交する回動軸により枢支され、該複数の可動フィンが相互に連結部材を介して回動可能に連結され、操作ノブにより該可動フィンを該回動軸の回りで回動させるレジスタにおいて、該バレル内の該可動フィンの下流側に、支持フレームが該バレルの長手方向に沿って設けられ、該支持フレームには、該操作ノブが該バレルの長手方向にスライド可能で且つ連係部を介して該可動フィンと連係可能に取り付けられ、該支持フレーム上で該操作ノブを長手方向にスライド操作して該可動フィンを回動操作することを特徴とする。
【００１０】
この考案によれば、操作ノブをバレル内の支持フレーム上で長手方向に沿ってスライドさせ、そのスライド操作により可動フィンの向きを、バレルの長手方向に回動させて、風向を変えるため、操作ノブの操作性が良く、可動フィンを任意の向きに良好に変えることができる。また、支持フレーム上の操作ノブは長尺且つ大形化することができるので、バレルの回動操作も容易に行うことができる。
【００１１】
ここで、上記連係部は、上記操作ノブの後部に設けたラック部と上記可動フィンの前部に設けられ該ラック部と噛合する扇形歯部とから構成することができる。これによれば、操作ノブのスライド操作に伴い可動フィンを大きな角度で回動させることができる。
【００１２】
また、上記支持フレームは、中央開口部を間に有した２枚のフィン部を上記バレル内の長手方向に沿って設けた形状に形成され、該中央開口部に上記操作ノブをスライド可能に嵌め込み、該操作ノブの前部が該フィン部より前方に露出し、該前部に操作凹部が形成される構成とすることができる。これによれば、操作ノブを指で安定してスライド操作することができ、且つバレル自体の回動操作も良好に行うことができる。
【００１３】
さらに、上記操作ノブの長手方向の幅は、上記支持フレームのフィン部の長手方向の幅の少なくとも半分より幅広に形成することが好ましい。これによれば、操作ノブの形状を長尺且つ大形化して、操作性を更に向上させることができ、また、操作ノブの加飾部分の増大化や加飾の多様性を図り、レジスタの意匠性を向上させることができる。
【００１４】
また、上記操作ノブは、上記支持フレームの中央開口部内に設けた複数のガイド壁に接触して摺動をガイドされるように構成することができる。これによれば、操作ノブを更にガタツキなく安定してスライド操作することができる。
【考案の効果】
【００１５】
本考案のレジスタによれば、バレル内の可動フィンの方向を、操作性良く、任意の角度まで良好に回動操作することができ、バレル型レジスタの風向調整の操作性を大幅に改善することができる。
【図面の簡単な説明】
【００１６】
【図１】本考案の一実施形態を示すレジスタの正面図である。
【図２】同レジスタの平面図である。
【図３】同レジスタの左側面図である。
【図４】同レジスタの斜視図である。
【図５】図１のV-V断面図である。
【図６】図１のVI-VI断面図である。
【図７】レジスタの分解斜視図である。
【図８】レジスタのリテーナ近傍の拡大分解斜視図である。
【図９】レジスタのベゼル近傍の拡大分解斜視図である。
【図１０】可動フィンを左右に振ったときの断面説明図である。
【図１１】バレルを下に振ったときの断面説明図である。
【考案を実施するための形態】
【００１７】
以下、本考案の実施の形態を図面に基づいて説明する。図１〜図９に示すように、このレジスタは、左右に並設された２連形状のレジスタとして構成され、各レジスタは中央縦線を対称線として左右対称に構成される。このため、左右のレジスタには同じ符号を付し、ここでは、一方のレジスタの構成を説明する。
【００１８】
レジスタは、図１、４に示すように、全体的にその正面が横方向に細長い薄型に形成され、空気吹出口１ｃを有し通風を行なう中空部を有したバレル１が、リテーナ２とベゼル３間の内側に、その両側の回動軸１ａを支持させて回動可能に、水平横方向に枢支される。
【００１９】
バレル１の内側には、複数の可動フィン４がバレル１の回動軸１ａと直交する回動軸５により回動可能に枢支される。各可動フィン４の上下の回動軸５は、図５，８のように、バレル１内の上下に取り付けられ軸孔を所定間隔で設けた上軸受部材１５、下軸受部材１６により軸支される。複数の可動フィン４は、その下部に偏心して設けた連結軸６に、連結部材９を介し相互に連結され、同期して回動可能な可動ルーバ１０を構成している。中央近傍の１つの可動フィン４は、連係部８を介して後述する操作ノブ７に連係し、操作ノブ７の左右方向へのスライド操作により、可動ルーバ１０の各可動フィン４は回動軸５の回りで回動し、風向を左右に変えるように構成される。
【００２０】
図５，６、８に示すように、リテーナ２は横長の長方形を断面とするダクト状に形成され、内部に通風路２ａが形成される。リテーナ２の前部は、バレル１を回動可能に収納するための略半筒状の半筒状部として形成され、その半筒状部の前部にベゼル３が嵌着される。ベゼル３は、後部に略半筒状部を有する長方形枠状に形成され、その後部がリテーナ２の前部の半筒状部に嵌着される。なお、図７，９に示すように、ベゼル３は、２個のベゼルが左右に並設される状態で一体成形されており、左右の各ベゼル３の後部内に、各々のバレル１を回動可能に収納した状態で、各々のリテーナ２が嵌着される。
【００２１】
図７、９に示すように、バレル１は、内部に貫通する開口部を有した略矩形枠状に形成され、バレル１の前部には空気吹出口１ｃが開口し、リテーナ２の通風路２ａを通過した送風が空気吹出口１ｃを通して送出される。また、バレル１の両側の壁部に、短尺の回動軸１ａが水平方向（横方向）両側に突設され、バレル１は、リテーナ２の前部内側空間に、その回動軸１ａをリテーナ２の両側壁部に設けた軸孔に嵌入して組み付けられる。なお、回動軸１ａと軸受部との間はゴム状弾性体などからなる回動抵抗調整部材１ｂ（図９）が介挿されて、バレル１が回動操作時、適度な回動負荷抵抗で回動するようになっている。
【００２２】
上記バレル１は、リテーナ２の内側で、その両側の回動軸１ａを軸に、上下方向に所定の角度範囲で回動可能に組み付けられる。つまり、リテーナ２の前部とその前部に嵌着されるベゼル３は、図３、５に示す如く、断面を略円形として形成され、その円形断面の略中心位置に、バレル１の回動軸１ａが位置し、これにより、バレル１がリテーナ２及びベセル３内で且つ回動軸１ａの回りで回動可能となっている。図５のように、送風はリテーナ２内の通風路２ａからバレル１内に入り、その前部の空気吹出口１ｃからベゼル３の開口部を通り送風される構造である。
【００２３】
バレル１の空気吹出口１ｃが位置する前部中央には、図４，６，９に示すように、支持フレーム１１が長手方向に沿って設けられる。支持フレーム１１は、間に中央開口部１４を設けた上フィン部１２と下フィン部１３を、一体に設けた水平なフィン形状として形成されている。上フィン部１２と下フィン部１３の間に水平直線状の中央開口部１４を設けた形状の支持フレーム１１は、その両端部をバレル１と上下３本の縦枠に一体的に連接させ、バレル１の空気吹出口１ｃの中央水平方向に保持される構造となっている。操作ノブ７がその中央開口部１４内にスライド可能に配設されるが、中央開口部１４は支持フレーム１１の略全幅において形成され、幅（横方向の長さ）の長い操作ノブ７を摺動可能に嵌入することができる。
【００２４】
さらに、支持フレーム１１の中央開口部１４内の奥には、図６、９に示すように、３枚のガイド壁１１ａ、１１ｂが間隔をおいて水平横方向に沿って設けられ、操作ノブ７が中央開口部１４内に摺動可能に嵌め込まれたとき、ガイド壁１１ａ、１１ｂにガイドされながら、操作ノブ７は所定の範囲で水平横方向にスライドする構造となっている。
【００２５】
つまり、ガイド壁１１ａ、１１ｂは、中央開口部１４の中央に位置する１枚のガイド壁１１ａとその左右に位置する２枚のガイド壁１１ｂとからなり、中央のガイド壁１１ａは操作ノブ７のノブ後部１８の内側に位置してその摺動をガイドし、左右のガイド壁１１ｂは操作ノブ７のノブ前部１７の背面に接触して、摺動をガイドする構造である。
【００２６】
ノブ後部１８内に位置するガイド壁１１ａは、操作ノブ７をスライド操作したとき、そのスライド端でノブ後部内面が当接するので、ガイド壁１１ａの大きさと位置により、操作ノブ７の移動範囲を設定して、可動フィン４の振り角を設定することができる。また、ノブ後部１８の両側位置に、ガイド壁１１ｂが設けられ、操作ノブ７のノブ前部１７の背面に接触してこれを支持するので、長尺の操作ノブ７であっても、そのスライド操作時のガタツキを効果的に防止することができる。
【００２７】
可動ルーバ１０の各可動フィン４は、図５、８に示すように、バレル１の内側の短手方向の幅に略等しい幅を有した板状体を本体として形成され、可動フィン４の上端部と下端部には、軸支用の回動軸５が突設される。可動フィン４の上側の回動軸５は、図８に示すように、１本の上軸受部材１５の複数の軸孔に各々嵌挿される。同様に、可動フィン４の下側の回動軸５は、１本の下軸受部材１６の複数の軸孔に各々嵌挿され、複数の可動フィン４を保持した上軸受部材１５及び下軸受部材１６はバレル１内の上部と下部に嵌着される。
【００２８】
また、各可動フィン４の下部の偏位位置には、連結軸６が突設され、１本の連結部材９がそれら各可動フィン４の連結軸６を連結するようにリンクされ、可動ルーバ１０の全可動フィン４が連動して同方向に回動するようになっている。
【００２９】
一方、中央近傍の１つの可動フィン４には、図５、６に示す如く、連係部８の一部として扇形歯部１８ｂがフィンの前部に取り付けられる。この扇形歯部１８ｂは操作ノブ７のノブ後部１８に設けたラック部１８ａと噛合し、操作ノブ７の左方向への摺動時、可動フィン４を左方向に向け、操作ノブ７の右方向への摺動時、可動フィン４を右方向に向けるように回動させる。
【００３０】
操作ノブ７は、図６，９に示すように、左右横方向に長尺のノブ前部１７を主要部として形成され、その中央背面部にノブ後部１８が嵌着され、ノブ後部１８に設けたラック部１８ａを可動フィン４側の扇形歯部１８ｂに噛合させる。操作ノブ７のノブ前部１７の長さ（左右横方向の長さ）は、少なくとも支持フレーム１１の長さの半分より長くつまり幅広に形成され、上記支持フレーム１１の中央開口部１４内にスライド可能に嵌入される。この図例のレジスタでは、操作ノブ７の左右方向の長さと支持フレーム１１の中央開口部１４な長さの比は、約５対６となっており、このレジスタの操作ノブ７は従来のレジスタに比べ遥かに大形で横長（幅広）の操作ノブとなっている。
【００３１】
操作ノブ７を支持フレーム１１の中央開口部１４内に嵌入する際、図６，９のように、ノブ前部１７の中央部背面側内部に、ゴム状弾性体などからなる摺動抵抗部材１９が挿入される。摺動抵抗部材１９は、支持フレーム１１のガイド壁１１ａに当接した状態で、支持フレーム１１の背面側からノブ後部１８がノブ前部１７の背面側に嵌着され、ノブ後部１８の背面側には、上記扇形歯部１８ｂと噛合するラック部１８ａが設けられる。
【００３２】
これにより、図６に示す如く、操作ノブ７は支持フレーム１１の中央開口部１４内に摺動可能に保持され、固定側のガイド壁１１ａ，１１ｂに対し操作ノブ７の一部が当接する範囲で、操作ノブ７は支持フレーム１１上を左右方向に摺動することができる。操作ノブ７の摺動操作時、操作ノブ７の操作負荷抵抗は、摺動抵抗部材１９によって適正な値に保持され、ガタツキなく摺動することとなる。
【００３３】
支持フレーム１１の中央開口部１４内に嵌挿される操作ノブ７のノブ前部１７は、図６に示すように、支持フレーム１１の中央開口部１４から前部に露出した形状となっており、更に、ノブ前部１７の中央には操作凹部１７ａが形成され、使用者の指を触れやすく把持しやすい形状となっている。
【００３４】
また、図示は省略しているが、ノブ前部１７の正面の露出面には、メタリック塗装などの加飾が施される。長尺（横長）の操作ノブ７のノブ前部１７に加飾することとなるため、実効性のある加飾を行なうことができ、また、加飾のバリエーションを増やして、レジスタの意匠性を向上させることもできる。
【００３５】
さらに、上述の如く、支持フレーム１１の中央開口部１４内に嵌挿される操作ノブ７は、その中央背面側に設けた摺動抵抗部材１９が、支持フレーム１１のガイド壁１１ａと接触し、操作ノブ７の両側の背面が支持フレーム１１の両側に位置するガイド壁１１ｂと接触し、３箇所のガイド壁１１ａ、１１ｂによって操作ノブ７の摺動がガイドされるので、長尺の操作ノブ７であっても、ガタツキなく円滑にスライドさせることができる。
【００３６】
上記構成のレジスタは、自動車の車内のインストルメントパネルの正面などに配設された通風ダクトの開口部に、そのリテーナ２の後部を嵌め込み、その空気吹出口を水平横方向に配置して取り付けられる。
【００３７】
通風ダクト内を空気が送風されると、レジスタに達した空気は、通風路２ａ内を通過してバレル１内に入り、バレル１内の可動ルーバ１０の可動フィン４にガイドされ、バレル１の空気吹出口１ｃから、バレル１及び可動フィン４の向く方向に空気が吹き出される。
【００３８】
空気の吹出し方向を左右方向に変える場合、図１０のように、操作ノブ７のノブ前部１７を持って可動フィン４を左右に動かすように操作する。このとき、ノブ前部１７中央に形成され操作凹部１７ａに指を当てて把持することができるため、使用者は簡便に操作することができる。
【００３９】
また、操作ノブ７のノブ前部１７は従来のレジスタに比して非常に長く横長に形成されているので、使用者は複数の指を操作ノブ７に当てて把持するようにことができ、操作ノブ７は支持フレーム１１の中央開口部１４内に保持されるので、ガタツキなくスムーズにスライド操作することができる。
【００４０】
そして、この操作により、可動ルーバ１０の各可動フィン４は、図１０のように、その上下の回動軸５を軸に左右に回動し、空気の吹出し方向を右方向、左方向、或は正面方向など、任意の方向に回動し、風向を左右方向に変えることができる。
【００４１】
一方、空気の吹出し方向を上下方向に変える場合、操作ノブ７を持ってバレル１を上下に回動させる。このとき、使用者は図１０のように１本の指を若しくは複数本の指を、操作ノブ７のノブ前部１７中央の操作凹部１７ａを含む部分に当てて、上または下にバレル１を回すことができるため、使用者には長尺横長の操作ノブ７を持って、容易に回動操作することができる。このとき、バレル１は、例えば図１１のように、その両側の回動軸１ａを軸に下方向（または上方向）に回動し、バレル１内の空気吹出口１ｃの向きが上下に変わることにより、風向が上下方向に調整される。
【００４２】
このように、上記構成のレジスタによれば、操作ノブ７をバレル１内の支持フレーム１１上で長手方向に沿ってスライドさせ、そのスライド操作により可動フィン４の向きを、バレル１の長手方向に回動させて、風向を変えるため、操作ノブ７の操作性が良く、可動フィン４を任意の向きに良好に変えることができる。また、操作ノブ７を指で安定してスライド操作することができ、且つバレル１の短手方向の回動操作も良好に行うことができ、操作ノブ７の形状を長尺且つ大形化して、操作性を更に向上させることができる。さらに、長尺且つ大形化した操作ノブ７によってその加飾部分の増大化や加飾の多様性を図ることができ、レジスタの意匠性を向上させることができる。
【００４３】
なお、上記実施形態では、レジスタを２連形状として左右に隣接する構造としたが、１連のレジスタにおいて本考案を適用することもできる。
【００４４】
また、上記実施形態では、上下幅を薄くした薄型のリテーナ内に薄型のバレルを配して横長薄型のレジスタとしたが、バレル、リテーナ及びベゼルの上下幅を増大させた非薄型のレジスタとすることもでき、その場合、バレル前部の支持フレームの上側と下側に、１枚または複数の固定フィンを、支持フレームと平行にバレル内に設けることもできる。
【００４５】
また、上記実施形態では、バレル１の回動軸１ａの方向を水平横方向として横型のバレル式レジスタとしたが、縦型のレジスタとして、バレルの回動軸を縦方向とし、可動フィンの回動軸を水平横方向とするレジスタに本考案を適用することもできる。
【符号の説明】
【００４６】
１      バレル
１ａ    回動軸
１ｂ    回動抵抗調整部材
１ｃ    空気吹出口
２      リテーナ
２ａ    通風路
３      ベゼル
４      可動フィン
５      回動軸
６      連結軸
７      操作ノブ
８      連係部
９      連結部材
１０    可動ルーバ
１１    支持フレーム
１１ａ  ガイド壁
１１ｂ  ガイド壁
１２    上フィン部
１３    下フィン部
１４    中央開口部
１５    上軸受部材
１６    下軸受部材
１７    ノブ前部
１７ａ  操作凹部
１８    ノブ後部
１８ａ  ラック部
１８ｂ  扇形歯部
１９    摺動抵抗部材
【図１】
0003175092.tif 000003
【図２】
0003175092.tif 000004
【図３】
0003175092.tif 000005
【図４】
0003175092.tif 000006
【図５】
0003175092.tif 000007
【図６】
0003175092.tif 000008
【図７】
0003175092.tif 000009
【図８】
0003175092.tif 000010
【図９】
0003175092.tif 000011
【図１０】
0003175092.tif 000012
【図１１】
0003175092.tif 000013